(57)【要約】【課題】簡素な構成で高品質のエコーを付与する。【解決手段】入力された１の音声信号を予め設定された第１遅延時間だけ遅延させて出力する第１遅延回路１５３ａと、第１遅延回路１５３ａから出力された音声信号Ｓ１を、３個のスピーカの中から予め設定された第１スピーカ１５４ａを介して出力する第１出力部１１３と、を備え、入力された１の音声信号Ｓ２を、３個のスピーカの中から予め設定され、第１スピーカ１５４ａとは相違するスピーカである第２スピーカ１５４ｃを介して出力する。【選択図】図３
2009060550.tif 000002
【特許請求の範囲】
【請求項１】
隣接する２以上の所定数のスピーカを備え、入力された１の音声信号を前記所定数のスピーカを介して音声を出力する音声出力装置であって、
入力された１の音声信号を予め設定された第１遅延時間だけ遅延させて出力する第１遅延手段と、
前記第１遅延手段から出力された音声信号を、前記所定数のスピーカの中から予め設定された第１スピーカを介して出力する第１出力手段と、
を備え、
入力された１の音声信号を、前記所定数のスピーカの中から予め設定され、前記第１スピーカとは相違するスピーカである第２スピーカを介して出力することを特徴とする音声出力装置。
【請求項２】
前記第１遅延時間を、エコーのレベルを示すレベル情報と対応付けて予め格納する遅延時間記憶手段と、
外部からの操作入力を受け付けて、受け付けられた操作入力に基づいて、エコーのレベルを設定するレベル受付手段と、
前記レベル受付手段によって設定されたエコーのレベルに対応する第１遅延時間を、前記遅延時間記憶手段から読み出して設定する第１時間設定手段と、
を備えることを特徴とする請求項１に記載の音声出力装置。
【請求項３】
前記所定数は、３以上であって、
入力された１の音声信号を予め設定され、前記第１遅延時間より長い第２遅延時間だけ遅延させて出力する第２遅延手段と、
前記第２遅延手段から出力された音声信号を、前記所定数のスピーカの中から予め設定され、前記第１スピーカ及び第２スピーカとは相違するスピーカである第３スピーカを介して出力する第２出力手段と、
を備えることを特徴とする請求項２に記載の音声出力装置。
【請求項４】
前記第２遅延時間を設定する第２時間設定手段を備え、
前記遅延時間記憶手段は、前記第２遅延時間を、前記レベル情報と対応付けて予め格納しており、
前記第２時間設定手段は、前記レベル受付手段によって設定されたエコーのレベルに対応する第２遅延時間を、前記遅延時間記憶手段から読み出して設定することを特徴とする請求項３に記載の音声出力装置。
【請求項５】
前記遅延時間記憶手段は、前記第２遅延時間の対応する第１遅延時間に対する比率を略一定値とするべく、前記第１遅延時間及び第２遅延時間が設定されていることを特徴とする請求項４に記載の音声出力装置。
【請求項６】
前記第１遅延手段及び第２遅延手段は、それぞれ、入力された音声信号を遅延させて出力すると共に、遅延時間が可変に構成された遅延回路からなることを特徴とする請求項３〜請求項５のいずれかに記載の音声出力装置。
【請求項７】
テレビジョン放送を受信する受信手段と、
請求項１〜請求項６のいずれかに記載の音声出力装置と、
を備え、
前記受信手段を介して前記１の音声信号が入力されることを特徴とする放送受信装置。
【発明の詳細な説明】
【技術分野】
【０００１】
本発明は、隣接する２以上の所定数のスピーカを備え、入力された１の音声信号を前記所定数のスピーカを介して音声を出力する音声出力装置に関する。特に、テレビジョン放送を受信し、受信した１の音声信号を隣接する２以上の所定数のスピーカに出力可能に接続された放送受信装置に関する。
【背景技術】
【０００２】
テレビジョン放送を受信し、外部から視認可能にモニタに出力可能に構成された放送受信装置では、臨場感を醸し出すために、エコー等の種々の音響効果を付与することが提案されている。例えば、入力された音声信号と、その音声信号を遅延器及び減衰器を介して遅延減衰させた音声信号と、を重畳させてスピーカに出力する残響音付加装置が開示されている（特許文献１参照）。
【特許文献１】特開平４−１７４９００号公報
【発明の開示】
【発明が解決しようとする課題】
【０００３】
しかしながら、上記残響音付加装置では、複数の音声信号が重畳されて１のスピーカから出力されるため、複雑な音声信号を忠実に再現可能な（＝高性能の）スピーカを配設する必要があった。また、複数の音声信号が重畳される際に、ノイズが混入する場合があり、ノイズ対策を講じる必要があった。
【０００４】
本発明は、上記課題に鑑みてなされたものであって、簡素な構成で高品質のエコーを付与することの可能な音声出力装置及び放送受信装置を提供することを目的としている。
【課題を解決するための手段】
【０００５】
上記目的を達成するために請求項１に記載の音声出力装置は、隣接する２以上の所定数のスピーカを備え、入力された１の音声信号を前記所定数のスピーカを介して音声を出力する音声出力装置であって、入力された１の音声信号を予め設定された第１遅延時間だけ遅延させて出力する第１遅延手段と、前記第１遅延手段から出力された音声信号を、前記所定数のスピーカの中から予め設定された第１スピーカを介して出力する第１出力手段と、を備え、入力された１の音声信号を、前記所定数のスピーカの中から予め設定され、前記第１スピーカとは相違するスピーカである第２スピーカを介して出力することを特徴としている。
【０００６】
請求項２に記載の音声出力装置は、請求項１に記載の音声出力装置であって、前記第１遅延時間を、エコーのレベルを示すレベル情報と対応付けて予め格納する遅延時間記憶手段と、外部からの操作入力を受け付けて、受け付けられた操作入力に基づいて、エコーのレベルを設定するレベル受付手段と、前記レベル受付手段によって設定されたエコーのレベルに対応する第１遅延時間を、前記遅延時間記憶手段から読み出して設定する第１時間設定手段と、を備えることを特徴としている。
【０００７】
請求項３に記載の音声出力装置は、請求項２に記載の音声出力装置であって、前記所定数は、３以上であって、入力された１の音声信号を予め設定された第２遅延時間だけ遅延させて出力する第２遅延手段と、前記第２遅延手段から出力された音声信号を、前記所定数のスピーカの中から予め設定され、前記第１スピーカ及び第２スピーカとは相違するスピーカである第３スピーカを介して出力する第２出力手段と、を備えることを特徴としている。
【０００８】
請求項４に記載の音声出力装置は、請求項３に記載の音声出力装置であって、前記第２遅延時間を設定する第２時間設定手段を備え、前記遅延時間記憶手段が、前記第２遅延時間を、前記レベル情報と対応付けて予め格納しており、前記第２時間設定手段が、前記レベル受付手段によって設定されたエコーのレベルに対応する第２遅延時間を、前記遅延時間記憶手段から読み出して設定することを特徴としている。
【０００９】
請求項５に記載の音声出力装置は、請求項４に記載の音声出力装置であって、前記遅延時間記憶手段が、前記第２遅延時間の対応する第１遅延時間に対する比率を略一定値とするべく、前記第１遅延時間及び第２遅延時間が設定されていることを特徴としている。
【００１０】
請求項６に記載の音声出力装置は、請求項３〜請求項５のいずれかに記載の音声出力装置であって、前記第１遅延手段及び第２遅延手段が、それぞれ、入力された音声信号を遅延させて出力すると共に、遅延時間が可変に構成された遅延回路からなることを特徴としている。
【００１１】
請求項７に記載の放送受信装置は、テレビジョン放送を受信する受信手段と、請求項１〜請求項６のいずれかに記載の音声出力装置と、を備え、前記受信手段を介して前記１の音声信号が入力されることを特徴としている。
【発明の効果】
【００１２】
請求項１に記載の音声出力装置によれば、入力された１の音声信号が予め設定された第１遅延時間だけ遅延されて出力され、出力された音声信号が、所定数のスピーカの中から予め設定された第１スピーカを介して出力される。また、入力された１の音声信号が、所定数のスピーカの中から予め設定され、第１スピーカとは相違するスピーカである第２スピーカを介して出力されるため、簡素な構成で高品質のエコーを付与することができる。
【００１３】
すなわち、第２スピーカからは、入力された１の音声信号に対応する音声が出力され、第２スピーカに隣接する第１スピーカからは、入力された１の音声信号が第１遅延時間だけ遅延されて出力されるため、音声信号を重畳する処理を施すことなくエコーを付与することができるので、簡素な構成で高品質のエコーを付与することができるのである。
【００１４】
請求項２に記載の音声出力装置によれば、第１遅延時間が、エコーのレベルを示すレベル情報と対応付けて遅延時間記憶手段に予め格納されており、外部からの操作入力が受け付けられて、受け付けられた操作入力に基づいて、エコーのレベルが設定され、設定されたエコーのレベルに対応する第１遅延時間が、遅延時間記憶手段から読み出されて設定されるため、利便性良好に簡素な構成で高品質のエコーを付与することができる。
【００１５】
すなわち、設定されたエコーのレベルに対応する第１遅延時間が、遅延時間記憶手段から読み出されて設定されるため、ユーザは、所望するエコーのレベルを設定することによって、容易に所望するレベルのエコーが付加されるので、利便性良好に簡素な構成で高品質のエコーを付与することができるのである。
【００１６】
請求項３に記載の音声出力装置によれば、入力された１の音声信号が予め設定され、第１遅延時間より長い第２遅延時間だけ遅延されて出力され、出力された音声信号が、３以上の所定数のスピーカの中から予め設定され、第１スピーカ及び第２スピーカとは相違するスピーカである第３スピーカを介して出力されるため、簡素な構成で更に高品質のエコーを付与することができる。
【００１７】
すなわち、第２スピーカからは、入力された１の音声信号に対応する音声が出力され、第２スピーカに隣接する第１スピーカからは、入力された１の音声信号が第１遅延時間だけ遅延されて出力され、更に、第１スピーカ及び第２スピーカに隣接する第３スピーカからは、入力された１の音声信号が第１遅延時間より長い第２遅延時間だけ遅延されて出力されるため、音声信号を重畳する処理を施すことなく複雑なエコーを付与することができるので、簡素な構成で更に高品質のエコーを付与することができるのである。
【００１８】
請求項４に記載の音声出力装置によれば、遅延時間記憶手段に、第２遅延時間がレベル情報と対応付けて予め格納しており、設定されたエコーのレベルに対応する第２遅延時間が、遅延時間記憶手段から読み出されて設定されるため、利便性良好に簡素な構成で更に高品質のエコーを付与することができる。
【００１９】
すなわち、設定されたエコーのレベルに対応する第２遅延時間が、遅延時間記憶手段から読み出されて設定されるため、ユーザは、所望するエコーのレベルを設定することによって、容易に所望するレベルのエコーが付加されるので、利便性良好に簡素な構成で高品質のエコーを付与することができるのである。
【００２０】
請求項５に記載の音声出力装置によれば、遅延時間記憶手段に格納された第１遅延時間及び第２遅延時間が、第２遅延時間の対応する第１遅延時間に対する比率を略一定値とするべく設定されているため、簡素な構成で更に高品質のエコーを付与することができる。
【００２１】
すなわち、第２遅延時間の対応する第１遅延時間に対する比率を略一定値とするべく設定されているため、第１スピーカ、第２スピーカ及び第３スピーカから出力される音声が、高品質なエコーを生成するべく第１遅延時間及び第２遅延時間が設定されるので、簡素な構成で更に高品質のエコーを付与することができるのである。
【００２２】
請求項６に記載の音声出力装置によれば、入力された音声信号を遅延させて出力すると共に遅延時間が可変に構成された遅延回路によって入力された音声信号が遅延されるため、更に簡素な構成で更に高品質のエコーを付与することができる。
【００２３】
請求項７に記載の放送受信装置によれば、テレビジョン放送を受信する受信手段を介して１の音声信号が入力され、請求項１〜請求項６のいずれかに記載の音声出力装置を備えため、簡素な構成で更に高品質のエコーを付与することが可能な放送受信装置を実現することができる。
【発明を実施するための最良の形態】
【００２４】
以下に本発明の実施形態を、図面を参照しながら説明する。図１は、本発明に係る音声出力装置を備えるデジタル放送受信機１の構成の一例を示すブロック図である。デジタル放送受信機１（放送受信装置に相当する）は、リモートコントローラ（＝Ｒｅｍｏｔｅｃｏｎｔｒｏｌｌｅｒ：以下、「リモコン」という）２と赤外線通信を介して通信可能に接続されている。
【００２５】
デジタル放送受信機１は、リモコン２を介してユーザからの操作入力を受け付けて、テレビジョン放送を受信し、ディスプレイ１７３及びスピーカ１５４に、それぞれ映像及び音声を出力するものであって、ＭＰＵ１１、ＲＡＭ１２、ＲＯＭ１３、受信部１４、音声出力部１５、ＭＰＥＧ２デコード部１６、画像出力部１７、及び、赤外線通信部１８を備えている。
【００２６】
ＭＰＵ（Ｍｉｃｒｏ  Ｐｒｏｃｅｓｓｉｎｇ  Ｕｎｉｔ）１１は、デジタル放送受信機１全体の動作を制御するものである。ＲＡＭ（Ｒａｎｄｏｍ  Ａｃｃｅｓｓ  Ｍｅｍｏｒｙ）１２は、音声情報、映像情報等の情報を読み書き自在に格納するものである。ＲＯＭ（Ｒｅａｄ  Ｏｎｌｙ  Ｍｅｍｏｒｙ）１３は、ＭＰＵ１１を動作させる制御プログラム等を格納するものである。
【００２７】
受信部１４（受信手段に相当する）は、テレビジョン放送を受信して復調するものであって、アンテナ部１４１、チューナ部１４２、Ａ／Ｄ変換部１４３、復調部１４４、及び、ＴＳデマルチプレクサ１４５を備えている。
【００２８】
アンテナ部１４１は、テレビジョン放送波を受信するものである。チューナ部１４２は、アンテナ部１４１で受信されたテレビジョン放送波から、予め設定されたチャンネルの放送を選局するものである。Ａ／Ｄ変換部１４３は、チューナ部１４２からの出力信号（＝アナログ信号）をデジタル情報に変換するものである。復調部１４４は、Ａ／Ｄ変換部１４３からの出力情報を復調するものである。ＴＳ（Ｔｒａｎｓｐｏｒｔ  Ｓｔｒｅａｍ）デマルチプレクサ１４５は、復調部１４４によって復調された出力情報を種別毎に分離して出力するものである。
【００２９】
音声出力部１５は、受信部１４によって受信されたテレビジョン放送に対応する音声を出力するものであって、Ｄ／Ａ変換部１５１、音声信号出力部１５２、遅延回路１５３、及び、スピーカ１５４を備えている。Ｄ／Ａ変換部１５１は、ＴＳデマルチプレクサ１４５から出力された音声情報（＝デジタル情報）をアナログ信号に変換するものである。音声信号出力部１５２は、Ｄ／Ａ変換部１５１によってアナログ信号に変換された音声信号を出力するものである。
【００３０】
遅延回路１５３（第１遅延手段、第２遅延手段に相当する）は、音声信号出力部１５２から出力された音声信号を予め設定された遅延時間だけ遅延させる回路であって、ここでは、第１遅延回路１５３ａ、第２遅延回路１５３ｂを備えている。スピーカ１５４は、音声信号出力部１５２又は遅延回路１５３から出力された音声信号に対応する音声を出力するものであって、ここでは、第１スピーカ１５４ａ、第３スピーカ１５４ｂ、第２スピーカ１５４ｃを備えている（図２、図３参照）。
【００３１】
ＭＰＥＧ（Ｍｏｔｉｏｎ  Ｐｉｃｔｕｒｅ  Ｅｘｐｅｒｔｓ  Ｇｒｏｕｐ）２デコード部１６は、ＴＳデマルチプレクサ１４５から出力された映像情報を圧縮前の映像情報に復号化するものである。
【００３２】
画像出力部１７は、ＭＰＥＧ２デコード部１６によって復号化された映像情報を出力するものであって、ＮＴＳＣエンコード部１７１、映像信号出力部１７２、及び、ディスプレイ１７３を備えている。ＮＴＳＣ（Ｎａｔｉｏｎａｌ  Ｔｅｌｅｖｉｓｉｏｎ  Ｓｔａｎｄａｒｄｓ  Ｃｏｍｍｉｔｔｅｅ）エンコード部１７１は、ＭＰＥＧ２デコード部１６によって復号化された映像情報をＮＴＳＣ方式のテレビジョン信号に変換するものである。映像信号出力部１７２は、ＮＴＳＣエンコード部１７１から出力されたＮＴＳＣ方式のテレビジョン信号をディスプレイ１７３に対して出力するものである。ディスプレイ１７３は、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）等からなり、映像信号出力部１７２から出力されたテレビジョン信号に対応する映像を表示するものである。
【００３３】
赤外線通信部１８は、リモコン２からの電源のＯＮ、ＯＦＦ操作、選局、デジタル放送受信機１の各種設定等の各種操作を受け付けるものである。リモコン２（レベル受付手段の一部に相当する）は、種々のキーを備え、キーの押下を介してユーザからの操作入力を受け付けて、操作入力に対応する赤外線信号を生成して、デジタル放送受信機１に対して出力するものである。
【００３４】
次に、デジタル放送受信機１が放送を受信する場合の動作について説明する。まず、送信されてきたデジタル放送波がアンテナ部１４１で受信される。リモコン２を介して選局操作が受け付けられた場合には、チューナ部１４２によって受信するトランスポンダ（Ｔｒａｎｓｐｏｎｄｅｒ）の切り換えが行われる。受信されたデジタル放送波は、Ａ／Ｄ変換部１４３によりデジタル情報に変換され、復調部１４４によって復調される。
【００３５】
なお、デジタル放送波は、送信側（送信局）からＴＳ（Ｔｒａｎｓｐｏｒｔ  Ｓｔｒｅａｍ）パケットとして送信される。このＴＳパケットは、映像情報、音声情報、制御情報等からなり、これらの情報がＴＳデマルチプレクサ１４５によって、分離して出力され、ＲＡＭ１２に格納される。そして、ＲＡＭ１２から読み出された音声情報がＤ／Ａ変換部１５１によってアナログ信号に変換され、音声信号出力部１５２を介してスピーカ１５４から音声が出力される。
【００３６】
また、ＲＡＭ１２から読み出された映像情報がＭＰＥＧ２デコード部１６によって圧縮前の映像情報に復号化され、ＮＴＳＣエンコード部１７１によってＮＴＳＣ方式のテレビジョン信号に変換されて、映像信号出力部１７２を介してディスプレイ１７３に映像が表示される。
【００３７】
図２は、デジタル放送受信機１の一例を示す正面図である。デジタル放送受信機１は、床面上等に載置され、ＭＰＵ１１、ＲＡＭ１２、ＲＯＭ１３、受信部１４等が収納された装置本体１０と、装置本体１０の上部に載置されたディスプレイ１７３と、ディスプレイ１７３の両側に装置本体１０の上部に載置されたスピーカ１５４と、を備えている。
【００３８】
スピーカ１５４は、ここでは、上側から順に、第１スピーカ１５４ａ、第３スピーカ１５４ｂ、及び、第２スピーカ１５４ｃが配設されている。なお、図１に示す受信部１４を介して、ステレオ音声（右側から出力するべき１の音声信号と、左側から出力するべき他の１の音声信号）が入力される場合には、右側に配設された第１スピーカ１５４ａ、第３スピーカ１５４ｂ、及び、第２スピーカ１５４ｃからは、右側から出力するべき１の音声信号に対応する音声が出力され、左側に配設された第１スピーカ１５４ａ、第３スピーカ１５４ｂ、及び、第２スピーカ１５４ｃからは、左側から出力するべき他の１の音声信号に対応する音声が出力される。
【００３９】
以下の説明においては、便宜上、右側から出力するべき１の音声信号が、右側に配設された第１スピーカ１５４ａ、第３スピーカ１５４ｂ、及び、第２スピーカ１５４ｃから出力される場合について説明し、左側から出力するべき他の１の音声信号に関してはその説明を省略する。また、第１スピーカ１５４ａ、第３スピーカ１５４ｂ、及び、第２スピーカ１５４ｃがそれぞれディスプレイ１７３の両側に配設されている場合について説明するが、ディスプレイ１７３の下側等に横方向に隣接して配設されている形態でもよい。
【００４０】
図３は、本発明に係るデジタル放送受信機１に配設された音声出力装置における主要部の構成の一例を示すブロック図である。ＭＰＵ１１は、機能的に、レベル受付部１１１、第１時間設定部１１２、第１出力部１１３、第２時間設定部１１４、及び、第２出力部１１５を備え、ＲＡＭ１２は、機能的に、遅延時間記憶部１２１を備えている。
【００４１】
ここでは、ＭＰＵ１１が、図１に示すＲＯＭ１３等に予め格納された制御プログラムを読み出して実行することにより、レベル受付部１１１、第１時間設定部１１２、第１出力部１１３、第２時間設定部１１４、第２出力部１１５等の機能部として機能すると共に、ＲＡＭ１２を、遅延時間記憶部１２１等の機能部として機能させるものである。
【００４２】
また、ＲＡＭ１２、図１に示すＲＯＭ１３に格納された各種データのうち装着脱可能な記録媒体に格納され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、半導体メモリ等である。
【００４３】
遅延時間記憶部１２１（遅延時間記憶手段に相当する）は、第１遅延回路１５３ａに設定する遅延時間である第１遅延時間ΔＴ１及び第２遅延回路１５３ｂに設定する遅延時間である第２遅延時間間ΔＴ２を、エコーのレベルを示すレベル情報と対応付けて予め格納するものである。遅延時間記憶部１２１に格納された第１遅延時間ΔＴ１及び第２遅延時間ΔＴ２は、それぞれ、第１時間設定部１１２及び第２時間設定部１１４によって読み出されるものである。
【００４４】
また、遅延時間記憶部１２１は、第２遅延時間ΔＴ２の対応する第１遅延時間ΔＴ１に対する比率Ｒ（＝ΔＴ２／ΔＴ１）を略一定値（例えば、２）とするべく、第１遅延時間ΔＴ１及び第２遅延時間ΔＴ２が設定されている（図４（ａ）参照）。
【００４５】
図４（ａ）は、遅延時間記憶部１２１に格納された第１遅延時間ΔＴ１及び第２遅延時間ΔＴ２の一例を示す図表である。図では左欄から順に、エコーのレベルを示すレベル情報、第１遅延時間ΔＴ１、及び、第２遅延時間ΔＴ２である。例えば、レベル情報が「１」である場合（弱いエコーを発生させる場合）には、第１遅延時間ΔＴ１が「１０ｍｓｅｃ」に設定され、第２遅延時間ΔＴ２が「２０ｍｓｅｃ」に設定される。また、例えば、レベル情報が「３」である場合（強いエコーを発生させる場合）には、第１遅延時間ΔＴ１が「３０ｍｓｅｃ」に設定され、第２遅延時間ΔＴ２が「６０ｍｓｅｃ」に設定される。
【００４６】
このように、遅延時間記憶部１２１に格納された第１遅延時間ΔＴ１及び第２遅延時間ΔＴ２は、比率Ｒ（＝ΔＴ２／ΔＴ１）を略一定値（ここでは、２）とするべく設定されている。
【００４７】
再び、図３を用いて、音声出力装置における主要部の構成について説明する。レベル受付部１１１（レベル受付手段の一部に相当する）は、リモコン２を介してユーザからの操作入力を受け付けて、受け付けられた操作入力に基づいて、エコーのレベルを設定するものである。ここでは、レベル受付部１１１は、ディスプレイ１７３に図４（ｂ）に示すエコー設定画面４００を表示し、エコー設定画面４００を介してエコーのレベルを設定するものである。
【００４８】
図４（ｂ）は、レベル受付部１１１によってディスプレイ１７３に表示されるエコー設定画面の一例を示す画面図である。エコー設定画面４００には、画面略中央部に、レベル表示部４０１が表示され、画面下部に、設定ボタン４０３、及び、キャンセルボタン４０４が表示されている。エコー設定画面４００は、例えば、レベル受付部１１１によって、リモコン２に配設されたメニューキーが押下されたことが受け付けられた場合に表示されるものである。
【００４９】
レベル表示部４０１は、エコーのレベルを選択可能に表示するものであって、ここでは、４段階（エコーレベル：「０」〜「３」）の中から１のレベルを設定可能に構成されている。また、レベル表示部４０１には、４段階のレベルにおいて選択状態とされているレベルを示す選択表示マーク４０２（ここでは、太枠で示すマーク）が表示されている。
【００５０】
例えば、レベル受付部１１１によって、リモコン２に配設された方向キーが押下されたことが受け付けられた場合に、選択表示マーク４０２が押下された方向キーの種類に応じて移動可能に構成されている。すなわち、上方向キーが押下されたことが受け付けられた場合には、選択表示マーク４０２が、選択中のレベル表示部４０１（例えば、レベル「２」に対応するレベル表示部４０１）の上側のレベル表示部４０１（例えば、レベル「１」に対応するレベル表示部４０１）に移動される。
【００５１】
設定ボタン４０３は、選択状態にあるレベル表示部４０１に対応するレベルを設定する場合に押下されるボタンである。キャンセルボタン４０４は、選択状態をキャンセルする場合に押下されるボタンである。ここで、「押下される」とは、例えば、リモコン２に配設された方向キーによって選択状態とされ、リモコン２に配設された決定キーが押下されたことが受け付けられた場合を意味している。
【００５２】
再び、図３を用いて、音声出力装置における主要部の構成について説明する。第１時間設定部１１２（第１時間設定手段に相当する）は、レベル受付部１１１によって設定されたエコーのレベルに対応する第１遅延時間ΔＴ１を、遅延時間記憶部１２１から読み出して、第１遅延回路１５３ａに対して設定するものである。
【００５３】
第１出力部１１３（第１出力手段に相当する）は、音声信号出力部１５２から第１遅延回路１５３ａを介して出力された音声信号（＝第１遅延時間ΔＴ１だけ遅延された音声信号）を、第１スピーカ１５４ａを介して出力するものである。
【００５４】
第２時間設定部１１４（第２時間設定手段に相当する）は、レベル受付部１１１によって設定されたエコーのレベルに対応する第２遅延時間ΔＴ２を、遅延時間記憶部１２１から読み出して、第２遅延回路１５３ｂに対して設定するものである。
【００５５】
第２出力部１１５（第２出力手段に相当する）は、音声信号出力部１５２から第２遅延回路１５３ｂを介して出力された音声信号（＝第２遅延時間ΔＴ２だけ遅延された音声信号）を、第３スピーカ１５４ｂを介して出力するものである。
【００５６】
また、音声信号出力部１５２から出力された音声信号Ｓ２は、第２スピーカ１５４ｃを介して出力される。すなわち、図１に示す受信部１４を介して受信された音声信号Ｓ２は、第２スピーカ１５４ｃを介して出力され、音声信号Ｓ２に対して第１遅延時間ΔＴ１だけ遅延された音声信号Ｓ１が、第１スピーカ１５４ａを介して出力され、音声信号Ｓ２に対して第２遅延時間ΔＴ２だけ遅延された音声信号Ｓ３が、第３スピーカ１５４ｂを介して出力される。
【００５７】
このようにして、入力された１の音声信号Ｓ２が予め設定された第１遅延時間ΔＴ１だけ遅延されて出力され、出力された音声信号Ｓ１が、所定数のスピーカの中から予め設定された第１スピーカ１５４ａを介して出力される。また、入力された１の音声信号Ｓ２が、所定数のスピーカの中から予め設定され、第１スピーカ１５４ａとは相違するスピーカである第２スピーカ１５４ｃを介して出力されるため、簡素な構成で高品質のエコーを付与することができる。
【００５８】
すなわち、第２スピーカ１５４ｃからは、入力された１の音声信号Ｓ２に対応する音声が出力され、第２スピーカ１５４ｃに隣接する第１スピーカ１５４ａからは、入力された１の音声信号Ｓ２が第１遅延時間ΔＴ１だけ遅延されて出力されるため、音声信号を重畳する処理を施すことなくエコーを付与することができるので、簡素な構成で高品質のエコーを付与することができるのである。
【００５９】
また、第１遅延時間ΔＴ１が、エコーのレベルを示すレベル情報と対応付けて遅延時間記憶部１２１に予め格納されており、リモコン２を介してユーザからの操作入力が受け付けられて、受け付けられた操作入力に基づいて、エコーのレベルが設定され、設定されたエコーのレベルに対応する第１遅延時間ΔＴ１が、遅延時間記憶部１２１から読み出されて設定されるため、利便性良好に簡素な構成で高品質のエコーを付与することができる。
【００６０】
すなわち、設定されたエコーのレベルに対応する第１遅延時間ΔＴ１が、遅延時間記憶部１２１から読み出されて設定されるため、ユーザは、所望するエコーのレベルを設定することによって、容易に所望するレベルのエコーが付加されるので、利便性良好に簡素な構成で高品質のエコーを付与することができるのである。
【００６１】
更に、入力された１の音声信号Ｓ２が予め設定され、第１遅延時間ΔＴ１より長い第２遅延時間ΔＴ２だけ遅延されて出力され、出力された音声信号Ｓ３が、３以上の所定数のスピーカの中から予め設定され、第１スピーカ１５４ａ及び第２スピーカ１５４ｃとは相違するスピーカである第３スピーカ１５４ｂを介して出力されるため、簡素な構成で更に高品質のエコーを付与することができる。
【００６２】
すなわち、第２スピーカ１５４ｃからは、入力された１の音声信号Ｓ２に対応する音声が出力され、第２スピーカ１５４ｃに隣接する第１スピーカ１５４ａからは、入力された１の音声信号Ｓ２が第１遅延時間ΔＴ１だけ遅延されて出力され、更に、第１スピーカ１５４ａ及び第２スピーカ１５４ｃに隣接する第３スピーカ１５４ｂからは、入力された１の音声信号Ｓ２が第１遅延時間ΔＴ１より長い第２遅延時間ΔＴ２だけ遅延されて出力されるため、音声信号を重畳する処理を施すことなく複雑なエコーを付与することができるので、簡素な構成で更に高品質のエコーを付与することができるのである。
【００６３】
加えて、遅延時間記憶部１２１に、第２遅延時間ΔＴ２がレベル情報と対応付けて予め格納しており、設定されたエコーのレベルに対応する第２遅延時間ΔＴ２が、遅延時間記憶部１２１から読み出されて設定されるため、利便性良好に簡素な構成で更に高品質のエコーを付与することができる。
【００６４】
すなわち、設定されたエコーのレベルに対応する第２遅延時間ΔＴ２が、遅延時間記憶部１２１から読み出されて設定されるため、ユーザは、所望するエコーのレベルを設定することによって、容易に所望するレベルのエコーが付加されるので、利便性良好に簡素な構成で高品質のエコーを付与することができるのである。
【００６５】
また、遅延時間記憶部１２１に格納された第１遅延時間ΔＴ１及び第２遅延時間ΔＴ２が、第２遅延時間ΔＴ２の対応する第１遅延時間ΔＴ１に対する比率Ｒ（＝ΔＴ２／ΔＴ１）を略一定値（ここでは、「２」）とするべく設定されているため、簡素な構成で更に高品質のエコーを付与することができる。
【００６６】
すなわち、第２遅延時間ΔＴ２の対応する第１遅延時間ΔＴ１に対する比率Ｒを略一定値（ここでは、「２」）とするべく設定されているため、第１スピーカ１５４ａ、第２スピーカ１５４ｃ及び第３スピーカ１５４ｂから出力される音声が、高品質なエコーを生成するべく第１遅延時間ΔＴ１及び第２遅延時間ΔＴ２が設定されるので、簡素な構成で更に高品質のエコーを付与することができるのである。
【００６７】
更に、入力された音声信号Ｓ２を遅延させて出力すると共に遅延時間ΔＴ１（又はΔＴ２）が可変に構成された遅延回路（第１遅延回路１５３ａ、第２遅延回路１５３ｂ）によって入力された音声信号Ｓ２が遅延されるため、更に簡素な構成で更に高品質のエコーを付与することができる。
【００６８】
なお、本発明は、以下の形態にも適用可能である。
（Ａ）本実施形態では、放送受信装置が、デジタル放送を受信するデジタル放送受信機１である場合について説明したが、放送受信装置が、デジタル放送及びアナログ放送の少なくとも一方を受信する形態であればよい。例えば、放送受信装置が、デジタル放送及びアナログ放送を受信する形態でもよいし、放送受信装置が、アナログ放送を受信する形態でもよい。
【００６９】
（Ｂ）本実施形態では、音声出力装置がデジタル放送受信機１に配設されている場合について説明したが、その他の音声を出力する装置（例えば、ＣＤプレーヤ、ＤＶＤプレーヤ、パーソナルコンピュータ等）に配設されている形態でもよい。
【００７０】
（Ｃ）本実施形態では、音声出力装置が、１の音声信号Ｓ２に対して３個のスピーカ（第１スピーカ１５４ａ、第２スピーカ１５４ｃ、及び、第３スピーカ１５４ｂ）を備える場合について説明したが、音声出力装置が、１の音声信号Ｓ２に対して２以上の所定数のスピーカを備える形態であればよい。例えば、音声出力装置が、１の音声信号Ｓ２に対して２個のスピーカを備える形態でもよいし、４個以上のスピーカを備える形態でもよい。
【００７１】
（Ｄ）本実施形態では、ＭＰＵ１１が、レベル受付部１１１、第１時間設定部１１２、第１出力部１１３、第２時間設定部１１４、第２出力部１１５等の機能部を備える場合について説明したが、レベル受付部１１１、第１時間設定部１１２、第１出力部１１３、第２時間設定部１１４、及び、第２出力部１１５の内、少なくとも１の機能部が、回路等のハードウェアによって実現されている形態でもよい。
【００７２】
（Ｅ）本実施形態では、第２遅延時間ΔＴ２の対応する第１遅延時間ΔＴ１に対する比率Ｒが「２」に設定されている場合について説明したが、第２遅延時間ΔＴ２の対応する第１遅延時間ΔＴ１に対する比率Ｒがその他の値に設定されている形態でもよいし、リモコン２を介してユーザからの操作入力を受け付けて、受け付けられた操作入力に基づいて、比率Ｒの値を設定する形態でもよい。
【図面の簡単な説明】
【００７３】
【図１】は、本発明に係る音声出力装置を備えるデジタル放送受信機の構成の一例を示すブロック図である。
【図２】は、デジタル放送受信機の一例を示す正面図である。
【図３】は、本発明に係るデジタル放送受信機に配設された音声出力装置における主要部の構成の一例を示すブロック図である。
【図４】は、遅延時間記憶部に格納された第１遅延時間ΔＴ１及び第２遅延時間ΔＴ２の一例を示す図表、及び、レベル受付部によってディスプレイに表示されるエコー設定画面の一例を示す画面図である。
【符号の説明】
【００７４】
１    デジタル放送受信機（音声出力装置）
１１    ＭＰＵ
１１１    レベル受付部（レベル受付手段の一部）
１１２    第１時間設定部（第１時間設定手段）
１１３    第１出力部（第１出力手段）
１１４    第２時間設定部（第２時間設定手段）
１１５    第２出力部（第２出力手段）
１２    ＲＡＭ
１２１    遅延時間記憶部（遅延時間記憶手段）
１４    受信部（受信手段）
１５    音声出力部
１５１    Ｄ／Ａ変換部
１５２    音声信号出力部
１５３    遅延回路
１５３ａ    第１遅延回路（第１遅延手段）
１５３ｂ    第２遅延回路（第１遅延手段）
１５４    スピーカ
１５４ａ    第１スピーカ
１５４ｂ    第３スピーカ
１５４ｃ    第２スピーカ
１７    画像出力部
１７３    ディスプレイ
２    リモコン（レベル受付手段の一部）
【図１】
2009060550.tif 000003
【図２】
2009060550.tif 000004
【図３】
2009060550.tif 000005
【図４】
2009060550.tif 000006